(57)【要約】      （修正有）【課題】意図した撮影が出来ない場合であっても、適切な露出条件の画像データを取得する。【解決手段】撮像装置は、発光して光を被写体に照射するストロボ発光装置３１と、被写体の像を画像データとして取得する撮像素子１２と、ストロボ発光装置の発光条件をマニュアル設定する設定手段４１ｂ、４１ｃと、設定手段が設定した発光条件で、ストロボ発光装置を発光させて撮像素子から第一の画像データを取得する制御手段１４と、第一の画像データ中の所定数より多い画素が飽和しているか判定する判定手段と、を備える。制御手段は、判定手段が第一の画像データ中の所定数より多い画素が飽和していると判定した場合、ストロボ発光装置の発光を禁止して再度撮像素子から第二の画像データを取得する。【選択図】図１
2010258550.tif 000002
【特許請求の範囲】
【請求項１】
発光して光を被写体に照射するストロボ発光装置と、
前記被写体の像を画像データとして取得する撮像素子と、
前記ストロボ発光装置の発光条件をマニュアル設定する設定手段と、
前記設定手段が設定した前記発光条件で、前記ストロボ発光装置を発光させて前記撮像素子から第一の画像データを取得する制御手段と、
前記第一の画像データ中の所定数より多い画素が飽和しているか判定する判定手段と、を備え、
前記制御手段は、前記判定手段が前記第一の画像データ中の所定数より多い画素が飽和していると判定した場合、前記ストロボ発光装置の発光を禁止して再度前記撮像素子から第二の画像データを取得することを特徴とする撮像装置。
【請求項２】
記録媒体を更に備え、
前記制御手段は前記第一の画像データをＤＣＦ規格に準拠して作成された第一のファイル名で前記記録媒体へ格納し、前記第二の画像データを前記記録媒体へ格納する際には、前記第一のファイル名の先頭或は末尾に所定の文字を添付して前記第二のファイル名を生成して格納することを特徴とする請求項１に記載の撮像装置。
【請求項３】
記録媒体を更に有し、
前記制御手段は、ＤＣＦ規格に準拠して前記記録媒体に作成した第一のフォルダへ前記第一の画像データを格納し、前記第二の画像データを格納する際には、前記第一のフォルダ名の先頭或は末尾に所定の文字を添付して前記第二のフォルダを作成して前記第二の画像データを格納することを特徴とする請求項１に記載の撮像装置。
【請求項４】
前記設定手段は、前記発光条件として前記ストロボ発光装置に強制発光動作を行わせるかいなかの設定を行うことを特徴とする請求項１に記載の撮像装置。
【請求項５】
前記設定手段は、前記発光条件として前記ストロボ発光装置の発光量を設定することを特徴とする請求項１に記載の撮像装置。
【請求項６】
発光して光を被写体に照射するストロボ発光装置と、
前記被写体の像を画像データとして取得する撮像素子と、
前記ストロボ発光装置の発光条件をマニュアル設定する設定手段と、
前記設定手段が設定した前記発光条件で、前記ストロボ発光装置を発光させて前記撮像素子から第一の画像データを取得する制御手段と、
前記第一の画像データ中の所定数より多い画素の画素値が最低値であるか判定する判定手段と、を備え、
前記制御手段は、前記判定手段が前記第一の画像データ中の所定数より多い画素の画素値が最低値であると判定した場合、前記ストロボ発光装置の発光量を変えて再度前記撮像素子から第二の画像データを取得することを特徴とする撮像装置。
【発明の詳細な説明】
【技術分野】
【０００１】
ストロボの発光をマニュアル設定して撮影動作が可能な撮像装置に関する。特に、白飛びや黒つぶれがない画像データの取得が可能な撮像装置に関する。
【背景技術】
【０００２】
カメラで使用可能なストロボは、被写体の条件に応じて適切な発光量でキセノン（Ｘｅ）管を発光させる（非特許文献１のｐ２７６〜ｐ２９２に記載）。従って、ユーザはストロボの発光条件を手動で設定しなくてもよい。また、ストロボは、一般にカメラ本体に内蔵されてユーザの利便性を高めている。
【先行技術文献】
【非特許文献】
【０００３】
【非特許文献１】豊田賢二著、「デジタル一眼レフがわかる」、初版、株式会社技術評論社、平成２０年８月５日
【発明の概要】
【発明が解決しようとする課題】
【０００４】
カメラが自動的に設定する条件（ストロボの発光の有無、ストロボの発光量）における撮影に満足出来ず、手動（マニュアル）で条件を設定して撮影を試みるユーザも存在する。手動で条件を設定して撮影した画像がカメラ任せの撮影で得られた画像より良い場合も存在する。またユーザの作画意図によっては手動設定が好ましい時も存在する。しかし、ユーザが意図した画像が得られない時は、ユーザは撮影チャンスを失う可能性もある。例えばストロボ発光量が適切で無いと取得された画像に白飛び（一定以上の明るさの被写体が真っ白に塗りつぶされてしまう現象）や黒つぶれ（一定以下の明るさの被写体が真っ黒に塗りつぶされてしまう現象）生じることがある。
【０００５】
本発明の目的は、ユーザの意図で手動設定される条件での撮影を尊重すると共に意図した撮影が出来ない場合であっても、適切な露出条件の画像データを取得することである。
【課題を解決するための手段】
【０００６】
本発明のある態様に係る撮像装置は、発光して光を被写体に照射するストロボ発光装置と、前記被写体の像を画像データとして取得する撮像素子と、前記ストロボ発光装置の発光条件をマニュアル設定する設定手段と、前記設定手段が設定した前記発光条件で、前記ストロボ発光装置を発光させて前記撮像素子から第一の画像データを取得する制御手段と、前記第一の画像データ中の所定数より多い画素が飽和しているか判定する判定手段と、を備える。前記制御手段は、前記判定手段が前記第一の画像データ中の所定数より多い画素が飽和していると判定した場合、前記ストロボ発光装置の発光を禁止して再度前記撮像素子から第二の画像データを取得する。
【０００７】
本発明の別の態様に係る撮像装置は、発光して光を被写体に照射するストロボ発光装置と、前記被写体の像を画像データとして取得する撮像素子と、前記ストロボ発光装置の発光条件をマニュアル設定する設定手段と、前記設定手段が設定した前記発光条件で、前記ストロボ発光装置を発光させて前記撮像素子から第一の画像データを取得する制御手段と、前記第一の画像データ中の所定数より多い画素の画素値が最低値であるか判定する判定手段と、を備える。前記制御手段は、前記判定手段が前記第一の画像データ中の所定数より多い画素の画素値が最低値であると判定した場合、前記ストロボ発光装置の発光量を変えて再度前記撮像素子から第二の画像データを取得する。
【発明の効果】
【０００８】
ユーザの手動操作でストロボの発光条件が設定され、撮影が実行された際に、ユーザの意図した画像データが取得出来ない場合であっても、予備撮影動作（第二の画像データを取得すること）により適切な露出条件の画像データを取得できる。
【図面の簡単な説明】
【０００９】
【図１】撮像装置(電子カメラ)の構成を示す概略構成図である。
【図２】第一実施形態に係る撮影動作を示すフローチャートである。
【図３】メモリカードのディレクトリ情報を例示する図である。
【図４】第二実施形態に係る撮影動作を示すフローチャートである。
【発明を実施するための形態】
【００１０】
［第一実施形態］
図１は、撮像装置としての電子カメラ１０（デジタルカメラ)の構成を示すブロック図である。
【００１１】
カメラ１０は、一つ以上のレンズ要素から構成される光学系１１を有する。光学系１１は、カメラ外部から取り込んだ光を撮像素子１２に結像する。撮像素子１２は、光学系１１により撮像素子１２に結像された光学像を電気信号に変換する。撮像素子１２は、ＣＣＤ（電荷結合素子）センサ、ＣＭＯＳ（相補型金属酸化膜半導体）センサ等から構成される。撮像素子ＩＦ（インターフェース）回路１３は、撮像素子１２からの電気信号をさらにデジタル信号に変換し画像データを生成する。撮像素子ＩＦ回路１３からの画像データはカメラコントローラ１４（制御手段）によって取り込まれ圧縮処理（例えばＪＰＥＧ圧縮）等された後で、メモリーカード１５に記憶される。
【００１２】
カメラコントローラ１４は、中央演算処理装置（ＣＰＵ）等を有し、メモリカード１５、ＳＤＲＡＭ１６、ＦｌａｓｈＲｏｍ１７、ＵＳＢデバイスコントローラ１８とバスを介して接続される。ＳＤＲＡＭ１６は、一時的に各種データを記憶するために使用され、ＦｌａｓｈＲｏｍ１７には、カメラコントローラ１４が実行する各種プログラムが記憶されている。ＵＳＢデバイスコントローラ１８は、カメラ１０をＵＳＢデバイスとして機能させるために使用され、ＵＳＢポート１９を介した外部機器とのＵＳＢによる通信を管理する。
【００１３】
カメラ１０は、光学系１１のレンズ要素を操作して光学系１１の焦点距離を調整するレンズ駆動機構２１を有する。カメラコントローラ１４は、レンズ駆動機構２１をレンズ駆動回路２２を介して制御する。
【００１４】
カメラ１０は、ストロボ光（閃光）を照射するストロボ発光装置３１を有する。ストロボ発光装置３１は、例えばキセノン（Ｘｅ）管から構成される。ストロボ発光装置３１は、ＤＣ／ＤＣコンバータ３２により電圧を供給される。カメラコントローラ１４は、ストロボ制御回路３３を介して、ＤＣ／ＤＣコンバータ３２の動作を制御し、ストロボ発光装置３１の発光量を制御できる。本実施形態ではストロボ発行装置３１をカメラ１０に内蔵した形態を開示しているが、ストロボ発行装置３１は、アクセサリとしてカメラに着脱可能なストロボ発光装置であってもかまわない。
【００１５】
カメラ１０は、表示回路３５、液晶モニタ３６を有する。表示回路３５は、カメラコントローラ１４に接続し、液晶モニタ３６に表示する画像やメニューのビデオ信号を作成する。
【００１６】
カメラ１０は、カメラ操作スイッチ（スイッチ群）４１を備えている。カメラ操作スイッチ４１は、シャッターを操作するためのレリーズスイッチ（レリーズボタン）４１ａを含む。レリーズスイッチ４１ａは、半押しされると、自動焦点調整動作（ＡＦ）と測光動作が開始され、全押しされると、撮像素子１２から画像データが取得されメモリーカード１５に記憶・格納される。
【００１７】
また、カメラ操作スイッチ４１は、発光量（ガイドナンバー）を設定するための発光量設定スイッチ（ガイドナンバー設定スイッチ）４１ｂ、発光モードとして強制発光モードを選択するための強制発光スイッチ４１ｃを含む。カメラ操作スイッチ４１からの信号はカメラコントローラ１４に送られる。なお、発光量設定スイッチ４１ｂと強制発光スイッチ４１ｃは、液晶モニタ３６に表示される発光モード設定メニュー、発光量設定メニューの選択のためのカーソルキーや決定キー等に対応する場合もある。発光量設定スイッチ４１ｂ及び／又は強制発光スイッチ４１ｃは、ストロボ発光装置３１の発光条件をマニュアル設定する設定手段となる。
【００１８】
カメラ１０は、二次電池５０を有する。二次電池５０の出力は、電源回路５１のＤＣ／ＤＣコンバータで所定の電圧に変換されて、カメラ１０の各回路の電源ラインに供給される。
【００１９】
図２は、カメラの動作を示すフローチャートであり、カメラコントローラ１４が実行する撮影動作を示す。
【００２０】
ステップＳ１００において、強制発光スイッチ４１ｃが操作されたか否か判定される。強制発光スイッチ４１ｃが操作された場合、処理はＳ１０２へ移行する。操作されていない場合、処理はＳ１０４へ移行する。
【００２１】
ステップＳ１０２において、強制発光モードが設定されていない場合、強制発光モードが設定され、強制発光モードが設定されている場合、強制発光モードが解除される。強制発光モードは、必ずストロボ発光装置３１が発光して撮影がなされるモードである。ストロボ発光装置３１の強制発光モードの発光量は、カメラコントローラ１４が設定する。被写体が逆光状態のときに、ユーザは強制発光モードを選択することが望ましい。しかし、必ずしもストロボ発光装置３１の発光が必要でない撮影シーンで、ユーザが強制発光モードを選択すると白飛び（いくつかの画素が飽和すること）が発生する虞がある。この発光モードの設定動作は、ストロボ発光装置３１の発光条件をマニュアル設定（手動設定）するマニュアル設定動作の一つである。
【００２２】
ステップＳ１０４において、発光量設定スイッチ４１ｂが操作されたか否か判定される。操作された場合は、処理はＳ１０６へ移行し、操作されていない場合は、処理はＳ１０８へ移行する。
【００２３】
ステップＳ１０６において、発光量設定スイッチ４１ｂの操作に応じてストロボ発光装置３１の発光量（ガイドナンバー）が設定される。ユーザは、設定される発光量を被写体輝度、被写体距離、光学系１１（レンズ）の明るさ（Ｆｎｏ）、撮像素子１２の感度（ＩＳＯ感度）等を考慮して設定する。発光量が適切でないと白飛びが発生する虞がある。この設定動作は、ストロボ発光装置３１の発光条件をマニュアル設定するマニュアル設定動作の一つである。
【００２４】
ステップＳ１０８において、レリーズスイッチ４１ａが操作されたか否か判定される。操作された場合、処理はＳ１１０へ移行する。操作されていない場合、処理はＳ１００へ移行する。
【００２５】
ステップＳ１１０において、撮影準備動作の一つである自動焦点（ＡＦ）調整を行う。撮像素子１２から得られたライブビュー用画像データを用いてコントスト方式の焦点調整動作が行われる。具体的には、ライブビュー画像に基づいてコントラストのピーク位置へレンズ位置が設定される。なお、ライブビュー用画像データは、画像ファイルが生成される本撮影の前に撮像素子１２から周期的に取得され、液晶モニタ３６に表示されるものである。
【００２６】
ステップＳ１１２において、撮影準備動作の一つである測光動作を行う。撮像素子１２から得られたライブビュー用画像データを用いて被写体の輝度情報、色情報が検出される。これらの情報に基づき露光条件（シャッター速度や絞り値等）が設定される。
【００２７】
ステップＳ１１４において、Ｓ１０６において発光量が発光量設定スイッチ４１ｂを用いてマニュアル設定されているか否かの判定がなされる。発光量が設定されている場合、処理はＳ１２４へ、設定されていない場合、処理はＳ１１６へ移行する。
【００２８】
ステップＳ１１６において、Ｓ１１２で設定された露光条件からストロボ発光装置３１の発光が必要か否か判定される。この判定動作では被写体の条件（逆光の有無）、手ブレ発生のし易さ等が考慮される。例えば、逆光の有無は、撮像素子１２上での被写体輝度の分布（撮像素子１２の画素値分布）に基づいて判断できる。手ブレ発生のし易さは、撮像素子１２の感度、露光条件として設定されたシャッター速度、光学系１１の焦点距離等に基づいて判断される。ストロボ発光装置３１の発光が必要と判定される場合、処理はＳ１２２へ移行し、必要ないと判定される場合、処理はＳ１１８へ移行する。
【００２９】
ステップＳ１１８において、強制発光モードが設定されているか否か判定される。ストロボ発光装置３１の発光が必要ないとカメラコントローラ１４が判定しても、ユーザが強制発光モードを選択した場合にはストロボ発光装置３１を発光する必要がある。強制発光モードが設定されている場合は、処理はＳ１２２へ移行し、設定されていない場合、処理はＳ１２０へ移行する。
【００３０】
ステップＳ１２０において、Ｓ１１２で設定された露光条件で撮像素子１２の露出制御を行う。この露出中はストロボ発光装置３１が発光することはない。そしてＳ１２６へ処理は移行する。
【００３１】
ステップＳ１２２において、ストロボ発光装置３１を所定の発光量でプリ発光（予備発光）して撮像素子１２を露光する。この動作で得られた画像データに基づき本発光の場合の発光量（ガイドナンバー）が算出される。
【００３２】
ステップＳ１２４において、Ｓ１１２で設定された露光条件で撮像素子１２の露出制御を行う。この露出中にストロボ発光装置３１が本発光される。この場合の発光量（ガイドナンバー）は、Ｓ１０６でマニュアル設定された値、或はＳ１２２でカメラコントローラ１４が自動設定した値の何れかである。
【００３３】
ステップＳ１２６において、撮像素子１２から画像データ（第一の画像データ）を読み込み、画像ファイルが生成される。
【００３４】
ステップＳ１２８において、画像ファイルは、ＤＣＦ（Design rule for Camera File system）規格に準拠したファイル名が付与されてメモリカード１５（記憶媒体）へ格納される。
【００３５】
図３は、メモリカードのディレクトリ情報を示した例である。図３（ａ）では、「＊１」で示すようにＤＣＦ規格に準拠して作成されたフォルダ（ＤＣＩＭ、１００ＯＬＹ）が生成されている。更に、フォルダの１００ＯＬＹには、ＤＣＦ規格に準拠して作成された名称の画像ファイル（Ｐｘｘｘ００１．ｊｐｇ、Ｐｘｘｘ００２．ｊｐｇ、〜Ｐｘｘｘ０１１．ｊｐｇ、Ｐｘｘｘ０１２．ｊｐｇ）が格納される。
【００３６】
ステップＳ１３０において、マニュアル設定（手動設定）された発光量に基づきストロボ発光装置３１が発光した際にはＳ１３２へ移行する。或は、強制発光モードが設定されてストロボ発光装置３１が発光した際にもＳ１３２へ移行する。これら二つの条件以外の発光条件で発光が行われた、或は発光自体が行われていないならば、撮影動作に係る処理は終了する。
【００３７】
ステップＳ１３２において、画像データに白飛びが生じていないか判定される。白飛びが生じていない場合、撮影動作に係る処理は終了する。白飛びが生じている場合、処理はＳ１３４へ移行する。例えば、白飛びは、画像データにおいて飽和している画素の数が第一の所定数より多い状態としてよい。ここで、飽和とは、画素値が飽和値（最大値）であることをいう。また、例えば、第一の所定数は、画像データ中の全画素数のゼロから数％の値とし、全画素数から決められてよい。このステップＳ１３２は、判定手段を構成する。
【００３８】
ステップＳ１３４において、バックアップ露光動作（予備撮影動作）が実行される。この場合、ストロボ発光装置３１の発光は禁止される。このときの露光条件はストロボ発光装置３１が発光しなくても適正な画像データが得られる条件に設定される。例えば、撮像素子１２の感度を上げて、Ｓ１１２と同様に測光動作により露光条件（シャッター速度や絞り値等）を設定しても良い。
【００３９】
ステップＳ１３６において、画像データ（第二の画像データ）を撮像素子１２から取得し、バックアップ画像ファイルの作成される。
【００４０】
ステップＳ１３８において、バックアップ画像ファイルがメモリカード１５へ格納される。
【００４１】
例えば、バックアップ画像ファイルのファイル名は、図３（ａ）の「＊２」のように設定しても良い。Ｐｘｘｘ０１１−ＢＵ．ｊｐｇは、Ｐｘｘｘ０１１．ｊｐｇのバックアップファイルである。すなわちＰｘｘｘ０１１．ｊｐｇは、ストロボ発光装置３１の発光により白飛びが発生した画像である。同様にＰｘｘｘ０１２−ＢＵ．ｊｐｇは、Ｐｘｘｘ０１２．ｊｐｇのバックアップファイルである。すなわちＤＣＦ規格に準拠したファイル名称の末尾に所定の文字（―ＢＵ）を添付してバックアップファイルの名称を生成している。
【００４２】
図３（ｂ）の「＊３」のようにバックアップファイルの名称は、ＤＣＦ規格に準拠したファイル名称の先頭に所定の文字（ＢＵ―）を添付してバックアップファイルの名称を生成している。
【００４３】
図３（ｃ）の「＊４」に示された方法では、バックアップファイルの名称を変更しない。バックアップファイル格納用のフォルダ（１００ＯＬＹ−ＢＵ）を作成し、白飛びが生じた画像ファイルと同一名称でバックアップファイルを格納する。ファルダの名称は、ＤＣＦ規格に準拠したフォルダ名称の末尾に所定の文字（―ＢＵ）を添付してフォルダの名称を生成している。また、図示はしていないが、ファルダの名称は、ＤＣＦ規格に準拠したフォルダ名称の先頭に所定の文字（ＢＵ―）を添付してフォルダの名称（ＢＵ−１００ＯＬＹ）を生成してもよい。
【００４４】
このように、ＤＣＦ規格に準拠したファイル名称（或はフォルダ名称）に所定の文字情報を添付することでバックアップファイル名称（或はバックアップファイルの格納用フォルダ名称）を作成する。これにより、白飛びが生じた画像が格納された画像ファイルとそのバックアップファイルとの対応が容易になる。
【００４５】
作用効果
撮像装置は、ストロボ発光装置の発光条件をマニュアル設定する設定手段と、設定手段が設定した発光条件で、ストロボ発光装置を発光させて撮像素子から第一の画像データを取得する制御手段と、第一の画像データ中の所定数より多い画素が飽和しているか判定する判定手段と、を備える。制御手段は、判定手段が第一の画像データ中の所定数より多い画素が飽和していると判定した場合、ストロボ発光装置の発光を禁止して再度撮像素子から第二の画像データを取得する。このように、ユーザの手動操作でストロボの発光条件が設定され、撮影が実行された際に、ユーザの意図した画像データが取得出来ない場合であっても、予備撮影動作（第二の画像データを取得すること）により適切な露出条件の画像データを取得できる。
【００４６】
ＤＣＦ規格に準拠したファイル名称（或はフォルダ名称）に所定の文字情報を添付することでバックアップファイル名称（或はバックアップファイルの格納用フォルダ名称）を作成する。これにより、白飛びが生じた画像が格納された画像ファイルとそのバックアップファイルとの対応が容易になる。
【００４７】
［第二実施形態］
図４のフローチャートを参照して、第二実施形態を説明する。第二実施形態では、白飛びが生じた場合の予備撮影動作（バックアップ撮影）に加えて、黒つぶれが生じた場合に予備撮影動作（バックアップ撮影）が行われる。他の構成は、第一実施形態と同様である。
【００４８】
上述のＳ１３２で白飛びが生じていない場合、Ｓ１４０に処理が移行する。ステップＳ１４０において、画像データに黒つぶれが生じていないか判定される。黒つぶれが生じていない場合、撮影動作に係る処理は終了する。黒つぶれが生じている場合、処理はＳ１４２へ移行する。例えば、黒つぶれは、画像データにおいて画素値が最低値（ゼロ或いはノイズレベルの値）である画素の数が第二の所定数より多い状態としてよい。また、例えば、第二の所定数は、画像データ中の全画素数のゼロから数％の値とし、全画素数から決められてよい。
【００４９】
ステップＳ１４２において、ストロボ発光装置３１を所定の発光量でプリ発光（予備発光）して撮像素子１２を露光する。この動作で得られた画像データに基づき本発光の場合の発光量（ガイドナンバー）が算出される。
【００５０】
ステップＳ１４４において、Ｓ１１２で設定された露光条件で撮像素子１２の露出制御を行う。この露出中にストロボ発光装置３１が本発光される。この場合の発光量（ガイドナンバー）は、Ｓ１４２でカメラコントローラ１４が自動設定した値である。このように、発光量は、Ｓ１２２で算出された発光量から変えられ（通常増加されるよう変えられる）、Ｓ１４２で自動設定した値が使用される。
【００５１】
ステップＳ１４６において、画像データを撮像素子１２から取得し、バックアップ画像ファイルの作成される。ＤＣＦ規格に準拠したファイル名称（或はフォルダ名称）に所定の文字情報を添付することでバックアップファイル名称（或はバックアップファイルの格納用フォルダ名称）を作成する。これにより、黒つぶれが生じた画像が格納された画像ファイルとそのバックアップファイルとの対応を容易にする。
【００５２】
ステップＳ１４８において、バックアップ画像ファイルをメモリカード１５へ格納する。
【００５３】
このように、第二の実施形態では、マニュアル設定された発光量が適切でない等の原因で黒つぶれが生じた場合でも、適切なバックアップ画像データが得られる。なお、第二の実施形態では、白飛びが生じた場合又は黒つぶれが生じた場合に予備撮影動作が行われる構成としたが、黒つぶれが生じた場合にのみ予備撮影動作が行われてもよい。
【００５４】
以上、上記の第一と第二実施形態では撮影パラメータの一つであるストロボ発光装置３１の発光条件がマニュアル設定された際に予備撮影動作（バックアップ撮影）を行うカメラを開示した。撮影パラメータには上記以外に、シャッター速度、シボリ値、色温度等が存在し、これらパラメータをマニュアル設定した際に上記予備撮影動作を行うようにしても良い。
【００５５】
また、階調補正処理時にも上記予備撮影動作を行うようにしても良い。ここで、階調補正処理とは、画像内の明るさを部分的に変える処理である。撮像素子のダイナミックレンジは人間の目よりもかなり狭いレンジであるため、撮影シーンに応じて白飛びや黒つぶれといった現象がしばしば起こる。単なる露出補正や画面内一様な階調補正をしてもこれらの現象は回避できない。階調補正処理は、この回避策となる。階調補正処理は、逆光時に有効であり、この処理を使用すればフラッシュ発光することなくまたフラッシュ光が届かない距離や位置に被写体があっても白飛びや黒つぶれの対策することができる。
【００５６】
本発明は上記の実施形態に限定されずに、撮影機能を有する電子装置（携帯電話、携帯情報端末（ＰＤＡ）等）にも適用可能であり、その技術的な思想の範囲内において種々の変更がなしうることは明白である。
【符号の説明】
【００５７】
１１  光学系
１２  撮像素子
１４  カメラコントローラ（制御手段）
１５  メモリカード（記憶媒体）
３１  ストロボ発光装置
４１  カメラ操作スイッチ
４１ａ  レリーズスイッチ
４２ｂ  発光量設定スイッチ（第一設定手段）
４３ｃ  強制発光スイッチ（第二設定手段）
【図１】
2010258550.tif 000003
【図２】
2010258550.tif 000004
【図３】
2010258550.tif 000005
【図４】
2010258550.tif 000006